(57)【要約】【課題】装飾部材について、低廉なコストで脱着自在に壁面を装飾できることに加え、状況やニーズに応じて優れた適応性を発揮可能なものとする。【解決手段】平面視形状が方形とされ表面に装飾のある装飾体１０Ａの裏面で平行な１対の辺に近接するように端縁線に沿ってシート状磁石からなる帯状の吸着体５ａ，５ｂが固定され、表面側に平面状磁石を備えた壁に吸着体５ａ，５ｂで磁気吸着することで壁に対し脱着自在に固定される脱着式内装部材１Ａであって、その吸着体５ａ，５ｂが１対の辺の端縁線に沿う長手方向に同一ピッチでＮ極とＳ極が交互に連続するように多極着磁され、そのピッチと同一ピッチで水平方向又は垂直方向にＮ極とＳ極が連続するように多極着磁された壁の平面状磁石に対し、異極同士が磁気吸着しながら互いの着磁線を平行に揃えて固定されることで、その縦・横各辺が壁の表面上で垂直・水平に位置決めされるものとした。【選択図】図１
2018100553.tif 000002
【特許請求の範囲】
【請求項１】
平面視形状が方形とされ表面に装飾を備えた装飾体の裏面で平行な１対の辺に近接するように端縁線に沿ってシート状磁石からなる帯状の吸着体が各々固定されており、表面側に平面状磁石を備えた壁に前記吸着体で磁気吸着することで前記壁に対し脱着自在に固定される脱着式内装部材において、前記吸着体は、前記１対の辺の端縁線に沿う長手方向に所定幅の同一ピッチでＮ極とＳ極が交互に連続するように多極着磁されたものであり、前記ピッチと同一ピッチで水平方向又は垂直方向にＮ極とＳ極が連続するように多極着磁された前記壁の平面状磁石に対し、異極同士が磁気吸着しながら互いの着磁線を平行に揃えて固定されることにより、その縦・横各辺が前記壁の表面上で垂直・水平に位置決めされる、ことを特徴とする脱着式内装部材。
【請求項２】
前記吸着体は、前記装飾体の端縁線から一定の間隔を有して固定されたことで前記装飾体裏面の端縁側で前記シート状磁石の厚さにより段差を形成しながら該段差から前記端縁線に至る部分に庇部を形成しており、該庇部が、前記壁から前記装飾体を引き剥がす際に指又は器具を引っ掛ける掛止手段又は前記庇部と壁面の間に隣接した他の脱着式内装部材の端縁側を挿入させて保持する保持手段として機能する、ことを特徴とする請求項１に記載した脱着式内装部材。
【請求項３】
前記吸着体は、長手方向両端側の磁極が同極とされている、ことを特徴とする請求項１又は２に記載した脱着式内装部材。
【請求項４】
前記装飾体は、前記１対の帯状の吸着体が平行に固定された間の中央部分が、裏面方向に突出するように側面視弧状に湾曲しており、前記吸着体を前記壁に磁気吸着させることで前記中央部分が表面方向に弾性変形しながら壁面に密着する、ことを特徴とする請求項１，２又は３に記載した脱着式内装部材。
【請求項５】
前記装飾体の裏面中央部分に、磁石又は強磁性体からなるシート状又は平板状の吸着体が配設されており、前記装飾体を前記壁に固定する際に、前記装飾体の中央部分が磁気吸着で壁面に密着される、ことを特徴とする請求項１，２，３又は４に記載した脱着式内装部材。
【請求項６】
前記装飾体は、前記帯状の吸着体を少なくともいずれかの辺側に有した状態で平面視の輪郭形状が同一の方形で同一サイズになる複数の分割体に分割させる分割線が形成されており、該分割線の位置で他の部分よりも容易に切断又は破断されて分割可能なものとされている、ことを特徴とする請求項１，２，３，４又は５に記載した脱着式内装部材。
【請求項７】
請求項１，２，３，４，５又は６に記載した脱着式内装部材の複数個が、前記壁への固定時に縦又は／及び横の辺を構成する前記装飾体の端縁線の位置で互いに連結してなり、該連結している各端縁線の位置で分離させる分離線が各々形成されており、該分離線の位置で他の部分よりも容易に切断又は破断されて分離可能なものとされている、ことを特徴とする脱着式内装部材。
【請求項８】
前記分離線は、前記装飾体で前記帯状の吸着体が近接して固定された側の辺に対して直角方向の辺になる位置に形成されている、ことを特徴とする請求項７に記載した脱着式内装部材。
【発明の詳細な説明】
【技術分野】
【０００１】
本発明は、脱着式の内装部材に関し、殊に、低廉な施工コストで壁面を脱着自在に装飾することのできる脱着式内装部材に関する。
【背景技術】
【０００２】
近年、平板状又は表面に立体構造を有した所定サイズの内装部材を壁面に複数枚固定するだけの簡易な装飾方法が普及しているが、その内装部材を異なるデザインのものに交換して模様替えを行う際には、固定された多数の内装部材を壊しながら壁面から引き剥がした後に、新しい内装部材を総て正確に位置決めしながら固定する必要があるため、施工の手間とコストが嵩んでしまうのが通常である。
【０００３】
これに対し、特開２０１１−４２９６１号公報に記載されているように、壁面に設けた鉄板に対し、裏面に磁石を設けた内装部材（壁面パネル）を磁気吸着で設けるものとした壁の装飾方法が提案されており、これにより、比較的低廉な施工コストで内装部材を脱着自在な状態で固定することができ、模様替えの際には、固定した内装部材を破壊することなく交換作業を完了することができる。
【０００４】
しかし、この施工方法においても、模様替えの度に多量の内装部材を総て壁面に対し縦・横の線を垂直・水平に揃えながら正確な位置で固定するには手間と時間を要することになる。そこで、特開２０１１−２１９９３１号公報において、壁面に対し額縁状の縁取りを有した装飾基板を正確な位置にて接着剤等で予め固定しておき、その縁取り内側の所定位置に設けた磁石等の吸着手段で表面に装飾を有した装飾主体を脱着自在に固定する方式が提案されている。
【０００５】
この方式によれば、予め正確な位置に固定した装飾基板の縁取りに合わせて装飾主体（内装部材）挿入・固定するだけで、各々脱着自在な状態で正確な位置・角度で固定することができる。ところが、この方式の場合、壁に固定した装飾基板のサイズ・形状に一致する内装部材しか使用できないことに加え、その固定位置の変更もできないことから、状況やニーズに応じて装飾を修正・変更したい場合の適応性において不充分であり、壁面デザインの多様性を充分に実現しにくいものであると言わざるを得ない。
【０００６】
また、その装飾基板は、磁石で脱着可能な素材からなる固定部を縁取り内側の所定位置に有しており、それ自体で複雑な形状・構成を備えていることから、装飾主体のコストと合わせた全体コストが比較的割高であるため、その多数枚を壁面において正確な位置に固定して設けるには、施工の手間とコストが嵩みやすくなるという難点も有している。
【先行技術文献】
【特許文献】
【０００７】
【特許文献１】特開２０１１−４２９６１号公報
【特許文献２】特開２０１１−２１９９３１号公報
【発明の概要】
【発明が解決しようとする課題】
【０００８】
本発明は、上記のような問題を解決しようとするものであり、装飾部材について、低廉なコストで脱着自在に壁面を装飾できることに加え、状況やニーズに応じて優れた適応性を発揮可能なものとすることを課題とする。
【課題を解決するための手段】
【０００９】
そこで、本発明は、平面視形状が方形とされ表面に装飾を備えた装飾体の裏面で平行な１対の辺に近接するように端縁線に沿ってシート状磁石からなる帯状の吸着体が各々固定されており、表面側に平面状磁石を備えた壁に前記吸着体で磁気吸着することで前記壁に対し脱着自在に固定される脱着式内装部材において、前記吸着体は、前記１対の辺の端縁線に沿う長手方向に所定幅の同一ピッチでＮ極とＳ極が交互に連続するように多極着磁されたものであり、そのピッチと同一ピッチで水平方向又は垂直方向にＮ極とＳ極が連続するように多極着磁された壁の平面状磁石に対し、異極同士が磁気吸着しながら互いの着磁線を平行に揃えて固定されることにより、その縦・横各辺が前記壁の表面上で垂直・水平に位置決めされる、ことを特徴とするものとした。
【００１０】
このように、方形の装飾体の縦又は横の辺に沿って長手方向にＮ極とＳ極が交互に連続する帯状のシート状磁石を設け、それと同じピッチでＮ極とＳ極が水平方向又は垂直方向に交互に連続する平面状磁石を備えた壁に対し磁気吸着で固定する方式としたことで、これをその壁面に近接させるだけで方形の装飾体の縦・横の向きが垂直・水平に揃った状態で磁気吸着されることから、内装部材を正確な位置・角度にて容易に固定できることに加え、内装部材のサイズ・形状の変更や固定位置の変更を行う場合にも容易に適応可能なものとなる。
【００１１】
また、この脱着式内装部材において、その吸着体は、装飾体の端縁線から一定の間隔を有して固定されたことで装飾体裏面の端縁側でシート状磁石の厚さにより段差を形成しながらその段差から端縁線に至る部分に庇部を形成しており、この庇部が、壁から装飾体を引き剥がす際に指又は器具を引っ掛ける掛止手段又はその庇部と壁面の間に隣接した他の脱着式内装部材の端縁側を挿入させて保持する保持手段として機能する、ことを特徴としたものとすれば、脱着式内装部材を引き剥がす作業が一層容易になることに加え、その複数枚を隣接して壁面に固定する際の適応性にも一層優れたものとなる。
【００１２】
さらに、上述した脱着式内装部材において、その吸着体は、長手方向両端側の磁極が同極とされていることを特徴としたものとすれば、壁面上で上下逆になるように１８０度回転させてもそのまま同位置に固定できる点で極めて作業性に優れていることに加え、吸着体の長手方向に沿って脱着式内装部材を連設する場合に、長手方向に連続して位置する吸着体同士の間隔を磁極１つ分の幅に抑えることができるため、最小限の隙間で綺麗に連設しやすいものとなる。
【００１３】
さらにまた、上述した脱着式内装部材において、その装飾体は、１対の帯状の吸着体が平行に固定された間の中央部分が、裏面方向に突出するように側面視弧状に湾曲しており、その吸着体を壁に磁気吸着させることでその中央部分が表面方向に弾性変形しながら壁面に密着する、ことを特徴としたものとすれば、装飾体の裏面のうち平行配置したシート状磁石の間の部分が壁面から浮き上がることを回避することができる。
【００１４】
加えて、上述した脱着式内装部材において、その装飾体の裏面中央部分に、磁石又は強磁性体からなるシート状又は平板状の吸着体が配設されており、この装飾体を壁に固定する際に、装飾体の中央部分が磁気吸着で壁面に密着されることを特徴としたものとすれば、固定状態において装飾体中央部が壁面から浮くことを回避可能なものとなる。
【００１５】
また加えて、上述した脱着式内装部材において、その装飾体は、前記帯状の吸着体を少なくともいずれかの辺側に有した状態で平面視の輪郭形状が同一の方形で同一サイズになる複数の分割体に分割させる分割線が形成されており、その分割線の位置で他の部分よりも容易に切断又は破断されて分割可能なものとされている、ことを特徴としたものとすれば、標準サイズの脱着式内装部材に加え、これをそれよりも小さなサイズの単位に容易に分割しながら壁面に固定できるようになるため、壁面に固定する際の適応性において一層優れたものとなる。
【００１６】
そして、上述した脱着式内装部材の複数個が、壁への固定時に縦又は／及び横の辺を構成する装飾体の端縁線の位置で互いに連結してなり、その連結している各端縁線の位置で分離させる分離線が各々形成されており、この分離線の位置で他の部分よりも容易に切断又は破断されて分離可能なものとされている、ことを特徴としたものとすれば、壁面において縦方向又は横方向に複数個連設する際に、同方向に複数個連なったものを使用することで、多数の脱着式内装部材を短時間で正確な位置にて固定できるようになる。
【００１７】
この場合、その分離線は前記装飾体で帯状の吸着体が近接して固定された側の辺に対して直角方向の辺になる位置に形成されている、ことを特徴としたものとすれば、固定する際の作業性に一層優れたものとなる。
【発明の効果】
【００１８】
装飾体の縦又は横の辺に沿うようにＮ極とＳ極が交互に連続する帯状のシート状磁石を設け、それと同じピッチでＮ極とＳ極が交互に連続する平面状磁石を備えた壁に対し磁気吸着で固定させるものとした本発明によると、低廉なコストで脱着自在に壁面を装飾できることに加え、状況やニーズに応じて優れた適応性を発揮可能なものとなる。
【図面の簡単な説明】
【００１９】
【図１】本発明における第１の実施の形態である脱着式内装部材の背面図であり、円内は拡大部分図である。
【図２】（Ａ）は図１の脱着式内装部材の正面図、（Ｂ）は（Ａ）のＸ−Ｘ線に沿う断面図である。
【図３】図１の脱着式内装部材を壁面に固定した状態の一例を示す正面図である。
【図４】図２（Ｂ）の脱着式内装部材の変形例を示す断面図である。
【図５】本発明における第２の実施の形態である脱着式内装部材の正面図である。
【図６】図１の脱着式内装部材の応用例を示す背面図である。
【図７】本発明における第３の実施の形態である脱着式内装部材の背面図である。
【図８】図７の脱着式内装部材を壁面に固定した状態の一例を示す正面図である。
【図９】図８の脱着式内装部材と分割した脱着式内装部材が重なっている部分の状態を説明するための拡大した縦断面部分図である。
【発明を実施するための形態】
【００２０】
以下に、図面を参照しながら本発明を実施するための形態を説明する。
【００２１】
図１は、本発明における第１の実施の形態である脱着式内装部材１Ａを底面図で示している。この脱着式内装部材１Ａは、表面側に平面状磁石を備えた図示しない壁に脱着自在な状態で固定して壁面を装飾するための部材であり、所定の樹脂シートを表面側に立体的な装飾が表れるように成形して得た平面視方形の装飾体１０Ａの裏面に、平行な１対の辺（本実施例では長辺）に近接するように端縁線に沿ってシート状磁石からなる帯状の吸着体５ａ，５ｂが各々固定されたものである。
【００２２】
その帯状の吸着体５ａ，５ｂは、円内の拡大部分図に示すように、装飾体１０Ａの１対の長辺の端縁線に沿う長手方向に、例えば２〜８ｍｍ（４ｍｍ程度が好ましい）幅の同一ピッチでＮ極とＳ極が縞状に交互に連続するように多極着磁されており、そのピッチと同一ピッチで水平方向又は垂直方向にＮ極とＳ極が連続するように多極着磁された図示しない壁の平面状磁石に対し、異極同士が磁気吸着しながら互いの着磁線を平行に揃えて固定されることで、その縦・横各辺が前記壁の表面上で垂直・水平に位置決めされることが、本発明における特徴部分となっている。
【００２３】
また、図１の円内に示す拡大部分図の吸着体５ａにおいて、長手方向右端側の磁極はＮ極であるが、図示しない反対側の左端側もそれと同極のＮ極となっており、吸着体５ａの長手方向両端側の磁極が同極とされている点が、本実施の形態における重要な特徴部分となっている（吸着体５ｂも両端がＮ極）。さらに、吸着体５ａ，５ｂ両端側の端縁線が装飾体１０Ａの端縁線から各磁極の２分の１の幅でオフセットした状態で固定されている。
【００２４】
このような構成を採用したことにより、脱着式内装部材１Ａを壁面上で上下逆になるように１８０度回転させた場合でも、そのまま同位置に固定できる点で極めて作業性に優れたものとなっており、且つ、吸着体５ａ，５ｂの長手方向に沿って脱着式内装部材１Ａを連設する場合に、長手方向に連続して位置する吸着体同士の間隔を磁極１つ分の幅に抑えることができるため、最小限の隙間で綺麗に連設しやすいものとしている。
【００２５】
図２（Ａ）は、図１の脱着式内装部材１Ａの平面図を示しており、図２（Ｂ）はそのＸ−Ｘ線に沿う断面図を示している。本実施の形態の脱着式内装部材１Ａは、その装飾体１０Ａが、ＰＶＣやＰＥＴ等による樹脂シート材の表面に壁紙と同様に所定の模様を印刷、又は所定の模様を印刷した建材シートを貼付した樹脂シート材を所定の型で成形したものであるが、図２（Ｂ）に示すように、表面側に立体的な形状が表れて三次元内装部材と呼ばれるものとなっており、内側に空気を有した空洞部が形成されていることで、これを設けた壁の保温性が向上するとともに、その複数枚を重ねて嵩張りにくい状態にして保管することもできる。
【００２６】
上述したように、平面視長方形の装飾体１０Ａを壁に対し着脱自在に固定するための固定手段として、帯状のシート状磁石からなる吸着体５ａ，５ｂが、その長辺に沿う端縁部分に形成された平坦な周縁部１１ａ，１１ｂの裏面側に、その長手方向に沿って各々固定されているが、そのシート状磁石としては、例えば０．４〜１．５ｍｍ程度の薄さであっても強い吸着力を発揮しながら比較的安価である点で、シート状フェライト磁石が好適である。
【００２７】
そして、この吸着体５ａ，５ｂは、装飾体１０Ａの平坦な周縁部１１ａ，１１ｂにおいて、その端縁線から一定の間隔（オフセット）を有して平行に固定されており、装飾体１０Ａ裏面の端縁側でシート状磁石の厚さにより段差を形成しながら、その段差から端縁線に至る部分に庇部１１０ａ，１１０ｂを形成している点も、本実施の形態における重要な特徴部分となっている。
【００２８】
本実施の形態では、例えば各磁極の短径方向の幅が２ｍｍ程度の場合に、その庇部１１０ａ，１１０ｂの幅を１〜３ｍｍ程度のものとして想定しているが、これが存在することにより、壁から装飾体１０Ａを引き剥がす際に指の爪や先の尖った器具を引っ掛けるための掛止手段、又はその庇部１１０ａ，１１０ｂと壁面の間に隣接した他の脱着式内装部材１Ａの端縁側を挿入させて保持するための保持手段として機能するものとなるため、脱着式内装部材１Ａを引き剥がす作業が一層容易になることに加え、図９の説明において詳述するようにその複数枚を隣接して壁面に固定する際の適応性においても一層優れたものとなっている。
【００２９】
図３は、本実施の形態の脱着式内装部材１Ａの複数枚を壁に固定した状態の一例を示している。壁面及び脱着式内装部材１Ａの両長辺側に表示した縦線は、Ｓ極とＮ極の磁極の着磁線を模式的に表現したものである。即ち、脱着式内装部材１Ａを磁気吸着させる対象である壁は、その表面側に多極着磁された平面状磁石が全面に亘って設けられており、その磁極の分布が、吸着体５ａ，５ｂにおいて長手方向に亘って交互に連続するＮ極とＳ極と同一のピッチで、その着磁線を図中縦向き（垂直方向）にして、Ｎ極とＳ極が縞状に交互に連続している。
【００３０】
そのため、この脱着式内装部材１Ａを、その吸着体５ａ，５ｂの着磁線が縦向きになるようにしながら、ある程度縦横を整えた状態にて壁面に近接させるだけで、壁面で縦方向に長い各磁極に対し吸着体５ａ，５ｂで異極になる部分が両者の着磁線を平行に揃えながら磁気吸着して、脱着式内装部材１Ａの縦・横が壁面上の縦・横に自動的に揃うことになる。
【００３１】
したがって、壁に着脱式内装部材１Ａを固定する作業が極めて容易に進むものであり、大量に固定する場合であっても比較的短時間で正確に完了することができる。また、この脱着式内装部材１Ａを固定する際に、その縦方向の位置（高さ）は任意に決定することができ、横方向の位置も着磁線のピッチ単位で自由に決定できるため、作業上の適応性において極めて優れたものとなっている。
【００３２】
尚、この例では、壁面の総てに着磁線を縦向きにして平面状磁石を設けた場合を説明したが、着磁線を横向きにしたり壁面において装飾を施す部分だけをカバーするようにしたりしてもよく、その平面状磁石は所定レベルの吸着力を確保できるのであれば帯状または点状の配置であっても良い。また、多極着磁の平面状磁石を用いずに、スチールペーパー等の強磁性体を平面状に設けた壁であっても、脱着式内装部材１Ａを磁気吸着により固定することも可能であるが、この場合は、その縦・横の向きを正確に揃えるのに手間を要することになる。
【００３３】
図４は、上述した脱着式内装部材１Ａの変形例としての脱着式内装部材１Ｂを縦断面図で示している。この脱着式内装部材１Ｂにおいては、その装飾体１０Ｂが、１対の帯状の吸着体５ａ，５ｂを平行に固定した間の中央部分が、裏面方向に突出するように側面視弧状に湾曲しており、吸着体５ａ，５ｂを壁に磁気吸着させることでその中央部分が表面方向に弾性変形しながら壁面に密着する点を特徴としており、装飾体１０Ｂの裏面のうち平行配置した５ａ，５ｂの間の部分が壁面から浮き上がることを回避できるようになっている。
【００３４】
図５は、本発明における第２の実施の形態である脱着式内装部材１Ｃを平面図で示している。この実施の形態では、上述した脱着式内装部材１Ａと同じ構成を有した部材の複数個が、装飾体１０Ｃの吸着体５ａ，５ｂを近接して固定した側の辺に対し直角方向の辺側（短辺）になる位置で部分的に互いに連結しながらその位置で分離するための分離線１６を備えたものとなっており、その連結部分には連結を分離するための分離部１６０が各々形成され、その分離線１６の位置で他の部分よりも容易に切断又は破断されながら分離可能とされている点を特徴としている。
【００３５】
即ち、その分離線１６において、ハーフカット等による分離部１６０を設けた位置で連結しており、例えば分離線１６に沿って折り曲げるように力を加えることで、容易に破断されるようになっている。そのため、壁面において縦方向又は横方向に複数個連設する際に、その方向に複数個連なったものを使用することで、多数枚の脱着式内装部材を短時間で正確な位置・角度にて固定することができる。尚、連結部を有した端縁線１６としては、その分離作業が容易なものである限り、その総てに亘って連結した状態の連結部としながらその長手方向総てに亘ってハーフカット又はミシン目による分離線を設けたものであってもよい。
【００３６】
図６は上述した脱着式内装部材１Ａの応用例を背面図で示しており、その装飾体１０Ａの裏面中央部分に、磁石又は強磁性体からなるシート状又は平板状の吸着体５０が配設されており、この装飾体１０Ａを壁に固定する際に、装飾体１０Ａの中央部分を磁気吸着で壁面に密着させるように機能する点を特徴としたものである。これにより、固定状態において樹脂製の装飾体１０Ａの中央部が壁面から浮いてしまうことを回避することができる。
【００３７】
図７は、本発明における第３の実施の形態である脱着式内装部材１Ｅを背面図で示している。この脱着式内装部材１Ｅは、その装飾体１０Ｅが、帯状の吸着体５ｃ，５ｄ，５ｅ，５ｆを少なくともいずれかの辺側に有した状態で、平面視の輪郭形状が同一の方形で同一サイズになる４つの分割体に分割することのできる分割線１２ａ，１２ｂが形成されており、その分割線１２ａ，１２ｂの位置で他の部分よりも容易に切断又は破断されながら分割可能とされている点を特徴としている。
【００３８】
また、この脱着式内装部材１Ｅは、その分割線１２ａ，１２ｂの位置で同形状同サイズの４つの分割体に分割して４分の１にすることのほか、分割線１２ａの位置で縦長の２分の１のサイズに分割したり、分割線１２ｂの位置で横長の２分の１のサイズに分割したりすることもできる。そのため、壁に固定した状態の図８に示すように、標準サイズの脱着式内装部材４Ｅに加え、これをその４分の１のサイズ及び縦又は横に２分の１のサイズの３種類の貼付単位に容易に分割しながら壁面に固定できるようになるため、壁面に固定して装飾する際の適応性の点において一層優れたものとなっている。
【００３９】
また、上述した実施例の総てにおいて、その装飾体の吸着体を設けた端縁側には段差が形成されているが、図８における脱着式内装部材１Ｅと分割体１Ｅ（１／２）が隣接する部分を拡大した縦断面部分図である図９に示すように、その庇部１１０ｄと壁面の間に、吸着体のない端縁側を挿入して保持させるようにすれば、分割体１Ｅ（１／２）の分割線で分割された吸着体のない端縁側が壁面から浮き上がるのを防止しながら、壁面上で綺麗な固定状態を維持することが可能となる。
【００４０】
尚、図４、図５、図６、図７に記載した実施の形態における特徴部分は、図１の脱着式内装部材１Ａにおいて適用することのほか、脱着式内装部材１Ｂ，１Ｃ，１Ｄ，１Ｅにおいて互いに適用したり、その複数を複合的に適用したりすることにより、各機能を重畳的・複合的に発揮させることが可能であることは言うまでもない。
【００４１】
また、上述したように、本発明による脱着式内装部材１Ｂ，１Ｃ，１Ｄ，１Ｅは、その内側空間に保持した空気層により壁の断熱性を向上させる機能を備えているが、この機能に加え、その裏側にアルミ蒸着シートを設けることで遮熱機能を向上させることができ、吸音材を設けることで防音機能を向上させることもできる。さらに、装飾体に芳香剤を塗布又は含有させたり芳香剤含有シートを裏側に設けたりすることで、芳香機能を賦与することもできる。
【００４２】
以上、述べたように、装飾部材について、本発明により低廉なコストで脱着自在に壁面を装飾できることに加え、状況やニーズに応じて優れた適応性を発揮できるようになった。
【符号の説明】
【００４３】
１Ａ，１Ｂ，１Ｃ，１Ｄ，１Ｅ  脱着式内装部材、５ａ，５ｂ，５ｃ，５ｄ，５ｅ，５ｆ，５０  吸着体、１０Ａ，１０Ｂ，１０Ｃ，１０Ｅ  装飾体、１１ａ，１１ｂ  周縁部、１２ａ，１２ｂ  分割線、１６  分離線、１１０ａ，１１０ｂ，１１０ｃ，１１０ｄ  庇部、１６０  分離部
【図１】
2018100553.tif 000003
【図２】
2018100553.tif 000004
【図３】
2018100553.tif 000005
【図４】
2018100553.tif 000006
【図５】
2018100553.tif 000007
【図６】
2018100553.tif 000008
【図７】
2018100553.tif 000009
【図８】
2018100553.tif 000010
【図９】
2018100553.tif 000011